(57)【要約】【課題】ストッパーを適切な位置で停止できるシート排出装置を提供する。【解決手段】シート排出装置は、排紙トレイ７に積載されたシートの先端を規制するストッパー９を備える。前記排紙トレイ７は、排出方向に沿った溝４３と、前記溝４３に沿った所定の位置に配置される第１の磁性体４５Ｅと、を有し、前記ストッパー９は、前記溝４３にスライド可能に係合するガイド片６１と、ガイド片６１に設けられて、シートの先端が当接する当接片５３と、前記当接片５３又は前記ガイド片６１に設けられて、前記第１の磁性体４５Ｅに対して互いに引き合う方向の磁力を発生する第２の磁性体５７と、を有する。前記ガイド片６１を前記溝４３に沿ってスライドさせて、前記第２の磁性体５７が前記所定の位置に達すると、前記第２の磁性体５７と前記第１の磁性体４５Ｅ間の磁力によって前記当接片５３のスライドに抵抗が付与される。【選択図】図４Ｂ
2020147406.tif 000002
【特許請求の範囲】
【請求項１】
所定の排出方向にシートを排出する排出部材と、前記排出部材によって排出されたシートが積載される排紙トレイと、前記排紙トレイに積載されたシートの先端の位置を規制するストッパーと、を備えるシート排出装置であって、
前記排紙トレイは、
前記排出方向に沿って形成された溝と、
前記溝に沿った所定の位置に配置される第１の磁性体と、を有し、
前記ストッパーは、
前記溝にスライド可能に係合するガイド片と、
前記ガイド片に支持されて、前記排出部材によって排出されたシートの先端が当接可能な当接片と、
前記当接片又は前記ガイド片に設けられて、前記第１の磁性体に対して互いに引き合う方向の磁力を発生する第２の磁性体と、を有し、
前記ガイド片を前記溝に沿ってスライドさせて、前記第２の磁性体が前記所定の位置に達すると、前記第２の磁性体と前記第１の磁性体との間の磁力によって、前記ガイド片のスライドに抵抗が付与されることを特徴とするシート排出装置。
【請求項２】
前記ストッパーは、
前記ガイド片に設けられた、前記当接片を回動可能に支持する回動軸と、
前記当接片を前記排出方向の上流側に回動するように付勢して、前記当接片を前記ガイド片に対して所定の姿勢に支持する付勢部材と、を備えていることを特徴とする請求項１に記載のシート排出装置。
【請求項３】
前記第２の磁性体は前記当接片に設けられ、
前記所定の姿勢は、垂直姿勢以外の傾斜姿勢であり、
前記ガイド片を前記溝に沿ってスライドさせて、前記第２の磁性体が前記所定の位置に達すると、前記第２の磁性体と前記第１の磁性体との間の磁力によって、前記当接片が前記傾斜姿勢から垂直姿勢に回動することを特徴とする請求項２に記載のシート排出装置。
【請求項４】
前記当接片は、前記溝内に入り込む脚部を有し、
前記当接片にシートの先端が当接した状態で前記当接片を前記排出方向の下流側に回動させると、前記脚部によってシートの先端が持ち上がることを特徴とする請求項２又は３に記載のシート排出装置。
【請求項５】
前記第１の磁性体は板金片であり、前記第２の磁性体は磁石であることを特徴とする請求項１〜４のいずれか１項に記載のシート排出装置。
【請求項６】
前記当接片は、少なくとも上部が柔軟性を有する材料で形成されていることを特徴とする請求項１〜５のいずれか１項に記載のシート排出装置。
【発明の詳細な説明】
【技術分野】
【０００１】
本発明は、原稿を送り出す原稿送り装置等のシート排出装置に関する。
【背景技術】
【０００２】
原稿送り装置には、画像が読み取られた原稿（シート）を排出する排出部材と、排出されたシートが積載される排紙トレイと、が備えられている。さらに、排紙トレイに積載されるシートの先端が突き当たるストッパーが備えられる場合もある。ストッパーによって、排出されたシートの排紙トレイからの飛び出しを防止したり、シートの先端を揃えたりできるようになっている。
【０００３】
特許文献１には、原稿のサイズに合わせて原稿ストッパ（ストッパー）を排出方向に追って移動可能に設けた画像読取装置が記載されている。また、特許文献２には、排出方向に沿って引き出される延長トレイのストッパ部（ストッパー）の、シートが当接する当接部を、排出方向の上流側に向かって膨らんだ凸形状に形成したシート排出トレイが記載されている。
【先行技術文献】
【特許文献】
【０００４】
【特許文献１】特開２００８−１９９２９５号公報
【特許文献２】特開２０１０−２３９３２号公報
【発明の概要】
【発明が解決しようとする課題】
【０００５】
しかしながら、上記特許文献１に記載の画像読取装置や上記特許文献２に記載のシート排出トレイにおいて、原稿ストッパ及びストッパ部は略垂直の姿勢で固定されているため、排出された原稿を取り出す際に、これらが原稿と干渉する場合があり、原稿を取り出しにくいという問題がある。また、特許文献２のように、ストッパ部を手動で引き出すタイプの場合、原稿のサイズに応じてストッパ部を位置決めする必要があるが、適切な位置に位置決めしにくいという問題もある。
【０００６】
そこで、本発明は上記事情を考慮し、ストッパーを適切な位置で停止できると共に、原稿の取り出し性を改善したシート排出装置を提供することを目的とする。
【課題を解決するための手段】
【０００７】
上記目的を達成するため、本発明のシート排出装置は、所定の排出方向にシートを排出する排出部材と、前記排出部材によって排出されたシートが積載される排紙トレイと、前記排紙トレイに積載されたシートの先端の位置を規制するストッパーと、を備えるシート排出装置であって、前記排紙トレイは、前記排出方向に沿って形成された溝と、前記溝に沿った所定の位置に配置される第１の磁性体と、を有し、前記ストッパーは、前記溝にスライド可能に係合するガイド片と、前記ガイド片に支持されて、前記排出部材によって排出されたシートの先端が当接可能な当接片と、前記当接片又は前記ガイド片に設けられて、前記第１の磁性体に対して互いに引き合う方向の磁力を発生する第２の磁性体と、を有し、前記ガイド片を前記溝に沿ってスライドさせて、前記第２の磁性体が前記所定の位置に達すると、前記第２の磁性体と前記第１の磁性体との間の磁力によって、前記ガイド片のスライドに抵抗が付与されることを特徴とする。
【０００８】
本発明のシート排出装置において、前記ストッパーは、前記ガイド片に設けられた、前記当接片を回動可能に支持する回動軸と、前記当接片を前記排出方向の上流側に回動するように付勢して、前記当接片を前記ガイド片に対して所定の姿勢に支持する付勢部材と、を備えていることを特徴としてもよい。
【０００９】
本発明のシート排出装置において、前記第２の磁性体は前記当接片に設けられ、前記所定の姿勢は、垂直姿勢以外の傾斜姿勢であり、前記ガイド片を前記溝に沿ってスライドさせて、前記第２の磁性体が前記所定の位置に達すると、前記第２の磁性体と前記第１の磁性体との間の磁力によって、前記当接片が前記傾斜姿勢から垂直姿勢に回動することを特徴としてもよい。
【００１０】
本発明のシート排出装置においては、前記当接片は、前記溝内に入り込む脚部を有し、前記当接片にシートの先端が当接した状態で前記当接片を前記排出方向の下流側に回動させると、前記脚部によってシートの先端が持ち上がることを特徴としてもよい。
【００１１】
本発明のシート排出装置においては、前記第１の磁性体は板金であり、前記第２の磁性体は磁石であることを特徴としてもよい。
【００１２】
本発明のシート排出装置においては、前記当接片は、少なくとも上部が柔軟性を有する材料で形成されていることを特徴としてもよい。
【発明の効果】
【００１３】
本発明によれば、ストッパーを適宜な位置に確実に停止させることができるので、読取後の原稿の整合性を高めることができる。
【図面の簡単な説明】
【００１４】
【図１】本発明の一実施形態に係る原稿送り装置を示す斜視図である。
【図２】本発明の一実施形態に係る原稿送り装置を示す断面図である。
【図３】本発明の一実施形態に係る原稿送り装置を示す断面図である。
【図４Ａ】本発明の一実施形態に係る原稿送り装置において、所定位置以外の位置におけるストッパーを示す、図３のＩＩＩ−ＩＩＩ断面図である。
【図４Ｂ】本発明の一実施形態に係る原稿送り装置において、所定位置におけるストッパーを示す、図３のＩＩＩ−ＩＩＩ断面図である。
【図５】本発明の一実施形態に係る原稿送り装置において、当接片を回動させることで持ち上げられた原稿の先端部を示す側面図である。
【発明を実施するための形態】
【００１５】
以下、図面を参照しつつ、本発明の一実施形態に係るシート排出装置について説明する。
【００１６】
図１〜図３を参照して、シート排出装置としての原稿送り装置１の全体構成について説明する。図１は原稿送り装置の斜視図、図２及び図３は原稿送り装置の断面図である。各図のＦｒ、Ｒｒ、Ｌ、Ｒは、原稿送り装置１の前側、後側、左側、右側をそれぞれ示す。
【００１７】
原稿送り装置１は、原稿が載置される原稿テーブル３と、原稿テーブル３に載置された原稿（シート）を搬送して排出する搬送部５と、搬送部５から排出された原稿が積載される排紙トレイ７と、前記排紙トレイ７に積載された原稿の先端の位置を規制するストッパー９と、を備えている。
【００１８】
原稿テーブル３は、原稿が載置可能な寸法を有し、上面には、原稿が載置される原稿載置部１１が形成されている。原稿載置部１１の搬送部５の側の上面には、リフト板１３が回動可能に支持されている。リフト板１３は、搬送部５の側とは反対側の端部を中心として、上下方向に回動する。リフト板１３が上方向に回動することで、原稿載置部１１に載置された原稿の先端部（搬送部５の側の端部）が持ち上げられるようになっている。リフト板１３には、原稿の幅方向を整合する一対のカーソル１５が、幅方向にスライド可能に支持されている。
【００１９】
図２に示されるように、搬送部５は、原稿の受入口２１及び排出口２３と、受入口２１と排出口２３との間に設けられた原稿の搬送経路２５と、搬送経路２５に沿って設けられた給紙ローラー２７及び複数の搬送ローラー対２９及び排出部材としての排出ローラー対３１と、を備えている。
【００２０】
受入口２１は、原稿の幅方向に沿って形成されている。受入口２１の下方には、原稿テーブル３が搬送部５に向かって下方に傾斜する姿勢で装着されている。排出口２３は、原稿テーブル３の下方に、用紙の幅方向に沿って形成されている。搬送経路２５は、受入口２１から左方向に延び、下方に湾曲して、排出口２３に向けて右方向に延びるように形成されている。搬送経路２５の途中には、原稿を検出する検出部３３や、画像読取装置（図示省略）に対向する窓部３５が備えられている。
【００２１】
給紙ローラー２７は、受入口２１に回転可能に支持されている。原稿テーブル３の原稿載置部１１に原稿が載置されて、前述のようにリフト板１３が上方に回動すると、原稿載置部１１に載置された原稿の先端部が持ち上げられて、給紙ローラー２７に接触する。その後、給紙ローラー２７が回転することで、原稿載置部１１に載置された原稿が、搬送経路２５に送り出される。
【００２２】
複数の搬送ローラー対２９は、受入口２１と排出口２３との間に、搬送経路２５に沿って所定の間隔を開けて配置されている。各搬送ローラー対２９が回転することで、搬送経路２５に送り出された原稿を搬送経路２５に沿って搬送される。
【００２３】
排出ローラー対３１は、排出口２３に回転可能に支持されている。排出ローラー対３１の回転によって、搬送経路２５に沿って搬送された原稿が排出方向Ｄ（右方向）に排出される。
【００２４】
排紙トレイ７は、排出口２３から排出された用紙が積載される原稿積載部４１を有している。原稿積載部４１は、排出口２３から垂直よりも排出方向Ｄの下流側にやや下方に屈曲した垂直部４１ａと、垂直部４１ａの下端から下流側に向かってほぼ水平な平坦部４１ｂと、平坦部４１ｂから上向きに傾斜する傾斜部４１ｃと、を有している。
【００２５】
平坦部４１ｂ及び傾斜部４１ｃの幅方向の中央部には、排出方向Ｄに沿った一対の溝４３が形成されている。溝４３には、複数の所定の位置に、第１の磁性体としての板金片４５（４５Ａ〜４５Ｅ）が埋め込まれている。所定の位置（板金片４５Ａ〜４５Ｅが埋め込まれた位置）は、一例として、ハガキ、Ｂ５横サイズ、Ａ４横サイズ、Ｂ５縦サイズ、Ａ４縦サイズの原稿が原稿積載部４１に積載された際の、それぞれの先端（排出方向Ｄの下流側の先端）位置にそれぞれ対応している。詳細には、垂直部４１ａから各サイズの原稿の先端に対応する位置である。各位置には、対応する原稿のサイズを示すマークが付されている。
【００２６】
次に、ストッパー９について、図２及び図３と、図４Ａ及び図４Ｂも参照して説明する。図４Ａ及び図４Ｂは、ストッパーを示す図３のＩＩＩ−ＩＩＩ断面図である。
【００２７】
図３及び図４Ａ及び図４Ｂに示されるように、ストッパー９は、ガイド体５１と、当接片５３と、付勢部材としての巻バネ５５と、第２の磁性体としての２個の磁石５７と、を備えている。
【００２８】
ガイド体５１は、排紙トレイ７の一対の溝４３間の寸法と同じ幅を開けて配置された一対のガイド片６１と、ガイド片６１を接続する回動軸６３と、を有している。ガイド片６１は、排紙トレイ７の一対の溝４３にスライド可能に係合する。
【００２９】
当接片５３は、幅方向に長い矩形状の板片であり、排紙トレイ７の一対の溝４３間の寸法よりもやや広い幅を有している。図４Ａ及び図４Ｂに示されるように、当接片５３の下縁には、一対の脚部６５が形成されている。一対の脚部６５は、一対の溝４３間の寸法と同じ寸法を開けて配置されている。当接片５３の一方の面の下端部（一対の脚部６５よりも上方の部分）は、ガイド体５１の回動軸６３に回動可能に支持されている。
【００３０】
巻バネ５５は、コイル部と、第１アーム部と、第２アーム部と、を有している。コイル部は、ガイド体５１の回動軸６３に外嵌され、第１アーム部は一方のガイド片６１に固定され、第２アーム部は、当接片５３に固定されている。巻バネ５５は、当接片５３を、回動軸６３に沿ってガイド体５１の側に回動するように付勢している。また、巻バネ５５が自然状態（各アーム部に負荷が加わっていない状態）では、図４Ａに示されるように、当接片５３は、巻バネ５５によって垂直姿勢に近い傾斜姿勢（例えば、当接片５３が垂直姿勢からガイド体５１からやや離れる方向に傾斜した姿勢）に保持される。
【００３１】
２個の磁石５７は、それぞれ、一対の脚部６５に取り付けられている。磁石５７は、例えば、脚部６５の下面、又は、側面に取り付けられている。あるいは、一対の脚部６５に埋め込まれてもよい。
【００３２】
ストッパー９は、ガイド体５１が排出方向Ｄの下流側、当接片５３が上流側に向く姿勢で、ガイド体５１の一対のガイド片６１が、一対の溝４３に係合することで、排紙トレイ７に装着される。この際、一対のガイド片６１と一対の溝４３とは抜け止めされる。この状態では、巻バネ５５の各アーム部には負荷が加わっていないので、当接片５３は、巻バネ５５によって傾斜姿勢に保持されている（図４Ａ参照）。また、当接片５３の２つの脚部６５も、各溝４３に挿入されている。
【００３３】
上記構成を有するストッパー９の作用について説明する。最初に、原稿（例えば、Ａ４縦サイズ）を原稿テーブル３の原稿載置部１１に載置して、一対のサイドカーソル１５で幅方向において整合する。そして、ストッパー９を、原稿のサイズに対応するマークが付された位置（板金片４５Ｅが埋め込まれた位置）にスライドさせる。詳細には、ストッパー９のガイド体５１を溝４３に沿ってスライドさせる。ガイド体５１が対応する位置に接近すると、当接片５３に設けられた磁石５７と、溝４３に埋め込まれた板金片４５Ｅとの間に互いに引き合う方向の磁界が発生する。そして、磁界が最も強い位置までストッパー９がスライドすると、磁石５７と板金片４５Ｅとが引き合い、両者間の磁力によってストッパー９のスライドに抵抗が付与される。さらに、図４Ｂに示されるように、当接片５３が傾斜姿勢から垂直姿勢に直立する。
【００３４】
このように、ストッパー９のスライドに抵抗が付与され、当接片５３が垂直姿勢に直立したことが確認されると、ストッパー９のスライドを停止する。なお、図４Ｂに示されるように、板金片４５Ｅの位置と、当接片５３の位置とは、排出方向Ｄにおいてずれているので、当接片５３の位置（実際に原稿が当接する上流側の面）を基準として板金片４５Ａ〜Ｅの位置を設定する。
【００３５】
その後、原稿の読み取りを開始する。まず、原稿載置部１１のリフト板１３が上方向に回動し、載置された原稿の先端部が給紙ローラー２７に接触する。そして、給紙ローラー２７が回転して、原稿が搬送経路２５に送り出される。原稿は、搬送ローラー対２９によって搬送経路２５に沿って搬送される。この際、原稿が窓部３５に搬送されると、原稿読取装置によって原稿の画像が読み取られる。その後、原稿は、排出ローラー対３１によって排出される。排出された原稿の先端は、ストッパー９の当接片５３に突き当たって落下し、原稿積載部４１に積載される。ストッパー９は磁力によって停止位置に維持されているので、原稿が当接片５３に突き当たっても移動しにくい。また、当接片５３も磁力によって垂直姿勢に維持されているので、原稿が突き当たっても回動しにくい。
【００３６】
全ての原稿の読み取りが完了した後、排紙トレイ７の原稿積載部４１に積載された原稿を取り出す。この際、排出方向Ｄの下流側（図２、図４Ａ、図４Ｂの右側）に原稿を引き出すと、ストッパー９の当接片５３が巻バネ５５の付勢力に抗して下流側へ回動するので、ストッパー９によって原稿の取り出しが阻害されない。原稿取り出し後、当接片５３は巻バネ５５の付勢力で垂直姿勢又は傾斜姿勢に戻る。
【００３７】
次にサイズの異なる原稿を読み取る場合は、磁石５７と板金片４５Ｅとの磁力に抗してストッパー９を動かし、原稿のサイズに対応するマークが付された位置にスライドさせる。
【００３８】
上記説明したように、本発明の原稿送り装置１によれば、原稿のサイズに応じた位置にストッパー９を確実に停止させておくことができるので、読取後の原稿の整合性を高めることができる。さらに、ストッパー９は、排紙トレイ７の原稿積載部４１の平坦部４１ｂや傾斜部４１ｃに沿ってスライドさせることができるので、様々な形状の排紙トレイ７に対応できる。
【００３９】
詳細には、ストッパー９を適切な位置にスライドさせると、ストッパー９のスライド動作に対する抵抗が指に伝わることで、触感的にストッパー９の停止位置を意識することができる。さらに、ストッパー９の停止位置では、当接片５３が傾斜姿勢から垂直姿勢に回動するので、停止位置を視覚的にも意識することができる。このように、停止位置以外では、当接片５３が垂直以外の傾斜姿勢に保持されることで、当接片５３の姿勢の変化を視覚的により分かりやすくすることができる。ただし、当接片５３は、停止位置以外でも、傾斜姿勢ではなく垂直姿勢に近い姿勢でもよい。
【００４０】
また、当接片５３は、原稿を取り出す際には下流側に回動し、原稿を取り出した後は元の姿勢に戻るので、原稿を取り出す際の作業性が向上する。
【００４１】
ただし、当接片５３は必ずしも回動可能に設ける必要はなく、垂直姿勢でガイド体５１に支持されてもよい。あるいは、巻バネ５５を使用せずに当接片５３を回動軸６３に回動可能に支持してもよい。この場合、ストッパー９の使用時には、当接片５３を原稿の先端が当接する直立姿勢に回動させ、ストッパー９の非使用時には、当接片５３を原稿積載部４１に収容される退避姿勢に回動させる。これらの場合、磁石５７をガイド片６１に取り付けてもよい。
【００４２】
さらに、図５に示されるように、原稿Ｓを取り出す際に当接片５３を下流側に回動させると、当接片５３の脚部６５が溝４３内から上方に離れて、原稿Ｓを持ち上げる。そして、持ち上げられた原稿Ｓの先端をつかむと、より原稿を取り出しやすくなる。
【００４３】
また、当接片５３の上部又は全体を、柔軟性を有する材料（例えばゴム）で形成してもよい。この場合、原稿取り出し時に当接片５３が変形するので、原稿をより取り出しやすくできる。また、原稿が当接片５３に突き当たった時の衝撃が吸収されるので静音化できる。
【００４４】
また、溝４３に備えられる第１の磁性体として板金片４５Ａ〜４５Ｅを使用し、ストッパー９に備えられる第２の磁性体として磁石５７を使用したので、磁性体全体をより安価に形成することができる。ただし、両磁性体とも互いに引き合う磁力を発生する磁石で形成してもよい。
【００４５】
本発明のシート排出装置１は、原稿送り装置の他に、画像が形成された用紙や後処理された用紙を排出する排出装置としても使用することができる。
【００４６】
本発明は特定の実施形態について記載されてきたが、本発明は上記実施形態に限定されない。本発明の範囲及び主旨を逸脱しない限りにおいて、当業者は上記実施形態を改変可能である。
【符号の説明】
【００４７】
１  原稿送り装置（シート排出装置）
７  排紙トレイ
９  ストッパー
３１  排出ローラー対（排出部材）
４３  溝
４５  板金片（第１の磁性体）
５３  当接片
５５  巻バネ（付勢部材）
５７  磁石（第２の磁性体）
６１  ガイド片
６３  回動軸
６５  脚部
【図１】
2020147406.tif 000003
【図２】
2020147406.tif 000004
【図３】
2020147406.tif 000005
【図４Ａ】
2020147406.tif 000006
【図４Ｂ】
2020147406.tif 000007
【図５】
2020147406.tif 000008